(57)【要約】      （修正有） 【課題】本体を蓋体で封鎖する際に蓋が不用意に外れない構造を有する本体と蓋体とからなる容器を提供するものであり、本体に蓋体を装着している際に生じる隙間の発生を低減する構造を有する本体と蓋体とからなる容器を提供する。【解決手段】容器本体１の開口周縁は四角形状で、４つの側面１０と底面と上部開口を有する開口周縁が四角形状であり、４つの側面はそれぞれ外側に湾曲傾斜して構成している本体鍔状部１０Ａを有する開口周縁を有し、蓋体２は容器本体の本体鍔状部を覆って開口部を封鎖する四角形状の蓋体であり、該蓋体には本体鍔状部を嵌め込む蓋体外周鍔状部２１と凸部２２を有し、又蓋体には四角形状の四方の各辺に容器内部方向に突出して形成する舌片部２３を有する本体と蓋体とからなる容器である。【選択図】図１
0003208469.tif 000002
【実用新案登録請求の範囲】
【請求項１】
容器本体１と着脱自在の蓋体２とからなる容器であり、
容器本体１は開口周縁が四角形状で、
４つの側面１０と底面１１と上部開口を有する開口周縁が四角形状の容器本体１であり、
４つの側面１０はそれぞれ外側に湾曲傾斜して構成している本体鍔状部１０Ａを有する開口周縁を有し、
容器本体１の開口を封鎖する蓋体２は、容器本体１の本体鍔状部１０Ａを覆って開口部を封鎖する四角形状の蓋体２であって、
該蓋体２には本体鍔状部１０Ａを嵌め込む蓋体外周鍔状部２１を有し、
該蓋体２の蓋体外周鍔状部２１には内部に向って突出する凸部２２を有し、
更に蓋体２には四角形状の四方の各辺に容器内部方向に突出して形成する舌片部２３を有し、
容器本体１には本体鍔状部１０Ａと蓋体２には蓋体外周鍔状部２１と凸部２２と舌片部２３とを有することを特徴とする本体と蓋体とからなる容器。
【請求項２】
容器本体１の開口周縁は蓋体２の蓋体外周鍔状部２１と舌片部２３に挟まれることを特徴とする請求項１に記載の本体と蓋体とからなる容器。
【請求項３】
該蓋体２の蓋体外周鍔状部２１の凸部２２は蓋体外周鍔状部２１の一辺の両端方向にそれぞれ少なくとも一か所ずつ有することを特徴とする請求項１記載の本体と蓋体とからなる容器。
【考案の詳細な説明】
【技術分野】
【０００１】
本考案は、開口縁部が傾斜開口で形成された四角形状の容器本体と、この容器本体の開口を封鎖する着脱自在の蓋体とを有する容器に関する。
【背景技術】
【０００２】
従来より、容器本体と蓋体とからなる容器にあっては、例えば飲食物を入れる容器に関して各種の収納容器が用いられているが、開口縁部が傾斜開口で形成された四角形状の容器本体の容器は開口部が湾曲傾斜した本体鍔状部を有することから、この容器に蓋を用いる場合には本体が特殊形状であるがゆえに簡単に蓋が外れるという欠点を有していた。
【０００３】
特に飲食物を入れる食品収納容器にあっては、蓋が簡単に外れる等の事は衛生面等で極力避けることが必要であった。
又、食品収納容器に限らず、収納すべき容器本体について開口縁部が傾斜開口で形成された四角形状の容器本体を有する容器は同様に多用されているが、容器本体の形状が特殊ゆえどうしても蓋体が外れやすくなるものである。
【考案の概要】
【考案が解決しようとする課題】
【０００４】
従って、蓋をきっちりと封鎖状態で維持するためには、本体の開口を蓋で覆った後に不用意に蓋が外れてしまうことを防ぐためセロファン粘着テープ等で蓋体と本体とを接着するものである。
従って、収納時に一つずつ接着しなければならず非常に手間がかかるものとなる。
【０００５】
更にこの容器を購入した場合においても、容器本体の蓋体を外して商品を取り出すことが必要であることから、その使用時には更にその接着を剥がさなければならないものとなり、その手間も大変である。
従って、この様なセロファン粘着テープ等を使用せずとも蓋体の封鎖をきっちりと行える構造が求められているものである。
【０００６】
更に従来からの容器の多くは、容器本体に蓋を用いて封鎖した場合でも、隙間を有しており、この隙間には指が入る程度となることが多く、異物混入の恐れが生じてしまう。
特に蓋によって外見上封鎖されている場合であっても指等によって隙間が出てしまうものが多く、いたずら等によって蓋の隙間を指で広げられてしまうと異物混入等の恐れが出かねないものであった。
【０００７】
従って蓋体の封鎖がきっちりとできる容器の提供が望まれているものである。
特に開口縁部が傾斜開口で形成された四角形状の容器本体の容器で、開口部が湾曲傾斜した本体鍔状部を有する容器に対して適切に封鎖できる蓋体を有する本体と蓋体とからなる容器の提供を行うものである。
【課題を解決するための手段】
【０００８】
係るために本考案に係る請求項１記載の考案は、容器本体と着脱自在の蓋体とからなる容器であり、容器本体は開口周縁が四角形状で、４つの側面と底面と上部開口を有する開口周縁が四角形状の容器本体であり、４つの側面はそれぞれ外側に湾曲傾斜して構成している本体鍔状部を有する開口周縁を有し、容器本体の開口を封鎖する蓋体は、容器本体の本体鍔状部を覆って開口部を封鎖する四角形状の蓋体であって、該蓋体には本体鍔状部を嵌め込む蓋体外周鍔状部を有し、該蓋体の蓋体外周鍔状部には内部に向って突出する凸部を有し、更に蓋体には四角形状の四方の各辺に容器内部方向に突出して形成する舌片部を有し、容器本体には本体鍔状部と蓋体には蓋体外周鍔状部と凸部と舌片部とを有する本体と蓋体とからなる容器からなり、係る考案によって前記課題を解決できる。
【０００９】
或いは請求項２に係る考案のように、容器本体の開口周縁は蓋体の蓋体外周鍔状部と舌片部に挟まれる本体と蓋体とからなる容器を用いてもよい。
更に請求項３に係る考案のように凸部は蓋体外周鍔状部の一辺の両端方向にそれぞれ少なくとも一か所ずつ有する本体と蓋体とからなる容器であってもよい。
【考案の効果】
【００１０】
以上のように構成することによって本体と蓋体とをきっちりと嵌め込んで装着できる本体と蓋体とからなる容器の提供ができるものである。
特に請求項１に係る考案により、該蓋体には本体鍔状部を嵌め込む蓋体外周鍔状部を有しており、容器本体の本体鍔状部を嵌め込むことができる。
【００１１】
更に挟み込んだ容器本体の本体鍔状部は、該蓋体の蓋体外周鍔状部には内部に向って突出する凸部と、四角形状の四方の各辺に容器内部方向に突出して形成する舌片部によって開口縁部の本体鍔状部の位置規制を行うと共に本体鍔状部を蓋体で嵌め込んできっちりと封鎖することができるものである。
【００１２】
従って本体と蓋体とを装着した場合にはこの蓋体の隙間が生じにくく、蓋体が不用意に外れてしまうことを防止できる。
更には本体鍔状部を嵌め込む蓋体外周鍔状部を有する構成から蓋体の隙間を生じにくくさせており、隙間をこじ開ける等がしにくい構成となる。又蓋体外周鍔状部の凸部と、四角形状の四方の各辺に容器内部方向に突出して形成する舌片部によって本体と蓋体とが所定の位置にきっちりと収まることから蓋体がきっちりと封鎖され隙間を生み出しにくい構成を有する本体と蓋体とからなる容器となる。
【００１３】
更に請求項２に係る考案によって容器本体の開口周縁は蓋体の蓋体外周鍔状部と舌片部に挟まれる本体と蓋体とからなる容器からなり、本体と蓋体とを装着した場合にはこの蓋体の隙間が生じにくく、蓋体が不用意に外れてしまうことを防止できる。
更には蓋体の隙間を有しにくい構成とすることができ異物混入等の恐れを高い確率で低減できるものである。
【００１４】
更に請求項３に係る考案のように、該蓋体の蓋体外周鍔状部の凸部は蓋体外周鍔状部の一辺の両端方向に二か所ずつ有するものとなり、蓋体外周鍔状部の一辺に少なくとも二点で凸部によって容器本体の開口周縁を抑えることができ、より確実に装着を行え、例えば蓋体や本体の歪み等による変形に際しても密着性を高く維持できるものとなる。
【図面の簡単な説明】
【００１５】
【図１】本考案に係る本体と蓋体とからなる容器の一例を示す図
【図２】本考案に係る本体と蓋体とからなる容器を上面から視認した状態の一例を示す図
【図３】図１のＡ−Ａ線断面
【図４】（ａ）は、図１に示す蓋体を装着している本体の角部分の一部拡大であり、（ｂ）は、図４（ａ）のＢ−Ｂ線断面
【図５】本考案に係る本体と蓋体とからなる容器の蓋体の一例を示す図
【図６】本考案に係る本体と蓋体とからなる容器の本体の一例を示す図
【考案を実施するための形態】
【００１６】
図１は、本考案に係る本体１と蓋体２とからなる容器の一例を示す図であり、収納物を収納すべき本体１と、この本体１の開口部を塞ぐ蓋体２とからなる容器であって本体１に蓋体２が嵌着している状態の一例を示す図である。
【００１７】
容器本体１は４つの側面と底面と上部開口を有する容器本体であり、上部開口から容器内の収納すべきものを収納でき、又取り出すことができる。この場合４つの側面はそれぞれ外側に湾曲傾斜して構成している側面１０からなり、開口縁部は四角形状となって、それぞれの開口部は外側に湾曲傾斜した側面１０から構成される本体鍔状部１０Ａを有する傾斜開口により形成されている。
【００１８】
この様な容器本体１に対して、蓋体２が着脱自在に装着されている。
この蓋体２は、容器本体１の開口形状に合致した四角形状よりなり、該開口より四方にやや広い幅を有する蓋体２よりなる。
即ち容器本体１の開口を封鎖する蓋体２は、容器本体１の傾斜開口の本体鍔状部１０Ａを覆って開口部を封鎖する四角形状の蓋体２よりなる。
【００１９】
該蓋体２は、容器本体１の傾斜開口の本体鍔状部１０Ａに対して、この本体鍔状部１０Ａに嵌め込むことのできる蓋体外周鍔状部２１を有しているものである。
蓋体外周鍔状部２１により本体鍔状部１０Ａが覆われて嵌め込んで装着されているものである。
【００２０】
この蓋体外周鍔状部２１は、蓋体２の上面から四方に対して容器本体１方向に延在して形成されている蓋体外周鍔状部２１からなっている。
従ってこの容器本体１方向に延在形成された蓋体外周鍔状部２１によって蓋体２で本体鍔状部１０Ａを覆うことができる。
【００２１】
更に、この蓋体２の蓋体外周鍔状部２１には更に外周から内周に向って突出する凸部２２を有している。
この凸部２２は、本体鍔状部１０Ａに向かって突出形成されており、本図では本体鍔状部１０Ａの端部方向を下方から支える位置に突出形成されているものである。
【００２２】
従って本体鍔状部１０Ａを一方から支えることとなる。
例えば下方から支えるものの他、横方向から該凸部２２によって支える位置に設置しているものであってもよい。
【００２３】
更に蓋体２には、上面部の四方に容器内部方向に突出して形成した舌片部２３を有するものである。
この舌片部２３は、蓋体２に容器内部方向に向かって突出形成されていると共に蓋体２を本体１に被せた際に容器本体１の開口周縁を蓋体２の蓋体外周鍔状部２１と挟む位置に突出形成している舌片部２３であって、蓋体２を被せた際にこの容器本体１の開口周縁を蓋体２の蓋体外周鍔状部２１と舌片部２３とで挟むこととなり、容器本体１を定位置できっちりと保持して封鎖することができるものである。
【００２４】
従って蓋体２の蓋体外周鍔状部２１の凸部２２によって外周方向から本体１の開口部周縁周辺を支えると共に舌片部２３によって蓋体２により封鎖する容器本体１の開口縁部の本体鍔状部１０Ａの位置規制を行うと共に本体鍔状部１０Ａを蓋体２で嵌め込むことができるものである。
【００２５】
図２は、図１に示す本考案に係る本体１と蓋体２とからなる容器を上面から視認した状態の一例を示す図である。
本図に示すように開口部が四角形状となって、それぞれの開口部は外側に湾曲傾斜した側面１０から構成される本体鍔状部１０Ａが四角形状となる傾斜開口を有して開口周縁が四角形状となる容器本体１の開口形状に合致した四角形状よりなり、該開口より四方にやや広い幅を有する蓋体２が嵌着している。
【００２６】
この本体１の開口部周縁に関してはその外周部分に蓋体２の蓋体外周鍔状部２１が位置しており、更に蓋体外周鍔状部２１は外周から内周に向って突出する凸部２２を有している。
この凸部２２は蓋体外周鍔状部２１の一辺の両端方向にそれぞれ一か所ずつ有しており、一辺に付き二か所で本体１の開口周縁方向を支えるものである。
【００２７】
特に各角部付近に凸部２２を有していることから蓋体２の角部を双方から支持することとなり、蓋体２の位置規制をきっちり行うばかりでなく、蓋体２が不用意に外れてしまうことを防止することができることとなる。
【００２８】
更に蓋体２には、容器内部方向に突出して形成した舌片部２３を有するものである。
各辺にはそれぞれ一つずつ舌片部２３を有しており、四角形状の各辺の蓋体外周鍔状部２１方向から蓋体２の中心方向にやや移動した位置にそれぞれ舌片部２３を有している。
【００２９】
特に蓋体２を本体１に被せた際に容器本体１の開口周縁を蓋体２の蓋体外周鍔状部２１と挟む位置に突出形成している舌片部２３であって、蓋体２を被せた際にこの容器本体１の開口周縁を蓋体２の蓋体外周鍔状部２１と舌片部２３ではさみ或いは近接して設置して位置規制してきっちりと嵌着することにより蓋体２を装着するものである。
【００３０】
この様に構成することにより容器本体１に蓋体２をきっちりと装着できることとなり、不用意な蓋体２の外れを高い精度で防止できるものである。
更には本体１と蓋体２との間の隙間が発生することを防止できるものである。
【００３１】
図３は、図１のＡ−Ａ線断面であり、蓋体２と本体１の装着状況を示す一例である。
本図に示すように本体１の開口周縁には蓋体２が覆いかぶさっており、蓋体２の舌片部２３が容器本体１の開口周縁の近傍に容器内部から支えることとなり、更に容器本体１の開口外周部分は蓋体外周鍔状部２１によって外周から支えられることとなり、舌片部２３と蓋体外周鍔状部２１とによって容器本体１の開口周縁部を挟み込んで位置規制した上できっちりと挟み込んで装着するものとなる。
又隙間の発生を防止できるものである。
【００３２】
図４（ａ）は、図１に示す蓋体２の装着している本体１の角部分の一部拡大である。
本図に示すように、本体１の開口周縁には蓋体２の蓋体外周鍔状部２１が覆いかぶさっており、更に凸部２２により本体１の開口周縁を外部方向から内部方向に向かって支えているものである。
【００３３】
特に開口周縁が湾曲傾斜した側面１０を有することから開口周縁を下部方向から支える位置に凸部２２が突出形成されており、蓋体２の嵌め込みの強度を高めることができ、蓋体２の装着をより強度にすることができる。
特にこれによっても蓋体２の本体１との間の隙間の発生を防止することができるものである。
【００３４】
図４（ｂ）は、図４（ａ）のＢ−Ｂ線断面である。
蓋体２の蓋体外周鍔状部２１に設けた凸部２２によって容器本体１の開口周縁部に突出しており、蓋体２がずれると下方から支えるものとなり、蓋体２の外れやずれを防止しているものである。
【００３５】
従って蓋体外周鍔状部２１に設けた凸部２２によっても下部から容器本体１を支えることができるものであり、蓋体２の開口上面から被せた状態に対して、不用意に蓋体２がずれてしまうことや外れそうになった場合にはこの凸部２２の突出部分で下部から支えることとなり、或いは外周方向から内周方向に対して支えるものとなり、蓋体２をきっちりと容器本体１開口の定位置に嵌め込んで不用意な蓋体２の外れを防止するものである。
【００３６】
図５は、蓋体２の一例を示す図であって、蓋体２は容器本体１の開口部を着脱自在に覆うものであり、容器本体１に装着するものである。
本図に示すように、容器本体１の開口形状に合致した四角形状よりなり、該開口より四方にやや広い幅を有する蓋体である。
【００３７】
この蓋体２は、容器本体１の傾斜開口の本体鍔状部１０Ａに被せることから蓋体外周鍔状部２１を有しているものである。
更に蓋体外周鍔状部２１には四方の各辺の両端方向にそれぞれ二か所ずつ蓋体外周鍔状部２１の外側から内側方向に突出して形成する凸部２２を有している。
【００３８】
この凸部２２は蓋体外周鍔状部２１の一辺の両角部方向にやや長めの凸部２２をそれぞれ有しており、更にこの内側方向にやや短い凸部２２を一つずつ有しているものであって、一辺に付き計４か所の凸部２２を有しているものである。
この様に凸部２２を更に増やすことにより蓋体２の装着をより強固にできるものとなり、蓋体２の外れや隙間の発生を防止できるものである。
【００３９】
もとよりこの凸部２２の個数や形状は任意のものであればよく、例えば一辺に一つずつでも、或いは複数有するものであってもよいものである。
更に蓋体２には蓋体上部方向から蓋体内部方向に対して突出形成する舌片部２３を有する。四角形状の蓋体２の各辺にはそれぞれ一つずつ舌片部２３を有しており、四角形状の各辺の蓋体外周鍔状部２１方向から蓋体２の中心方向にやや移動した位置にそれぞれ舌片部２３を有している。
【００４０】
特にこの舌片部２３は蓋体２を本体１に被せた際に容器本体１の開口周縁をこの舌片部２３と蓋体２の蓋体外周鍔状部２１とで挟む位置に突出形成している舌片部である。
この様に蓋体２を構成することにより容器本体１にきっちりと装着でき、外れにくい蓋体２及び隙間の生じにくい容器を構成できるものである。
【００４１】
図６は、容器本体１の一例を示す図である。
この容器本体は４つの側面１０と底面１１と上部開口を有する開口部を四角形状とする容器本体１である。
４つの側面はそれぞれ外側に湾曲傾斜して構成している側面１０であって、開口縁部は四角形状となって、それぞれの開口部は外側に湾曲傾斜した側面１０を有し、傾斜開口を有する構成であって本体鍔状部１０Ａを有する開口の本体からなる。
【００４２】
従ってこの様な容器に各種食品等を入れて販売できるものであり、極めてデザイン的に斬新な容器を用いることができる。
この様な場合に蓋体２はどうしてもきっちりと封鎖しにくいものであり、セロファン粘着テープ等が多用されてしまうものであり、更には隙間の生じやすい容器となってしまうことからこの形態に合致したきっちりと封鎖できる蓋体を有する容器が必要となるものである。
【符号の説明】
【００４３】
１          本体
１０        側面
１０Ａ      本体鍔状部
１１        底面
２          蓋体
２１        蓋体外周鍔状部
２２        凸部
２３        舌片部
【図１】
0003208469.tif 000003
【図２】
0003208469.tif 000004
【図３】
0003208469.tif 000005
【図４】
0003208469.tif 000006
【図５】
0003208469.tif 000007
【図６】
0003208469.tif 000008